【手続補正書】
【提出日】平成16年4月2日(2004.4.2)
【手続補正１】
【補正対象書類名】特許請求の範囲
【補正対象項目名】全文
【補正方法】変更
【補正の内容】
【特許請求の範囲】
【請求項１】
（Ａ）一般式１
【化１】
2005501165.tif 000001
［式中、
Ｒは１〜２０個の炭素原子を有し、フッ素または塩素により置換されていてもよい１価の炭化水素基を表し、
Ｘは１〜２０個の炭素原子を有するアルキレン基を表し、該基中で相互に隣接していないメチレン単位は基−Ｏ−により置換されていてもよく、
Ａは酸素原子またはアミノ基−ＮＲ′−を表し、
Ｒ′は水素を表すか、または１〜１０個の炭素原子を有するアルキル基を表し、
Ｙは１〜２０個の炭素原子を有し、フッ素または塩素により置換されていてもよい炭化水素基を表し、
Ｄは１〜７００個の炭素原子を有し、フッ素、塩素、Ｃ１〜Ｃ６−アルキルまたはＣ１〜Ｃ６−アルキルエステルにより置換されていてもよいアルキレン基を表し、該基中で相互に隣接していないメチレン単位は基−Ｏ−、−ＣＯＯ−、−ＯＣＯ−または−ＯＣＯＯ−により置換されていてもよく、
Ｂは一般式２
−Ｚ−Ｓｉ（Ｒ１）ｍ（Ｒ″）３−ｍ          （２）
の基を表し、その際、
Ｚはメチレン基を表し、
Ｒ１は１〜１２個の炭素原子を有し、フッ素または塩素により置換されていてもよい１価の炭化水素基を表し、
Ｒ″は、Ｃ１〜Ｃ４−アルコキシ基、Ｃ１〜Ｃ２０−アシル基、Ｃ１〜Ｃ６−アルキルアミノオキシ基およびＣ１〜Ｃ６−アルキルオキシモ基から選択される湿分と反応性の基を表し、
Ｗは基Ｂまたは水素を表し、
ｍは０、１または２の値を表し、
ｎは１〜３００の整数を表し、
ａは少なくとも１の整数を表し、
ｂは０または１〜３０の整数を表し、
ｃは１〜３０の整数を表し、
ｄは０または１の値を表し、ただしその際、単位の組成はコポリマーが３０〜２００℃の範囲の融点を有するように選択されている］のシラン末端基を有するポリジオルガノシロキサン−尿素／ウレタン−コポリマー１００質量部および
（Ｂ）一般式３
Ω−（ＣＨ２）ｅ−Ｓｉ（Ｒ２）３−ｆ（ＣＨ３）ｆ          （３）
［式中、
Ωは−ＮＨＲ３、−ＮＲ３−（ＣＨ２）ｇ−ＮＨＲ３、アクリル基、メタクリル基、ＯＣＮ−基、−ＳＨ、グリシドキシ基または塩素基から選択される基を表し、
Ｒ３は水素を表すか、またはハロゲンにより置換されていてもよいＣ１〜Ｃ１８−炭化水素基を表し、
Ｒ２はメトキシ基またはエトキシ基を表し、
ｅは１または３の値を表し、
ｆは０または１の値を表し、かつ
ｇは１〜１０の値を表す］のシラン０．１〜２０質量部
を含有する、湿分架橋性組成物。
【請求項２】
コポリマー（Ａ）中のポリジオルガノシロキサン断片が、５００〜３００００の分子量Ｍｗを有する、請求項１記載の湿分架橋性組成物。
【請求項３】
Ｒがメチルまたはフェニルを表す、請求項１または２記載の湿分架橋性組成物。
【請求項４】
Ａがアミノ基を表す、請求項１から３までのいずれか１項記載の湿分架橋性組成物。
【請求項５】
Ｒ″がメトキシ基またはエトキシ基を表す、請求項１から４までのいずれか１項記載の湿分架橋性組成物。
【請求項６】
Ωが基−ＮＨＲ３、−ＮＲ３−（ＣＨ２）ｇ−ＮＨＲ３およびグリシドキシ基から選択される基を表す、請求項１から５までのいずれか１項記載の湿分架橋性組成物。
【請求項７】
シラン末端基によって湿分架橋性の１成分溶融接着剤としての請求項１から６までのいずれか１項記載の組成物の使用。
【手続補正２】
【補正対象書類名】明細書
【補正対象項目名】００１１
【補正方法】変更
【補正の内容】
【００１１】
【化１】
2005501165.tif 000002
［式中、
Ｒは１〜２０個の炭素原子を有し、フッ素または塩素により置換されていてもよい１価の炭化水素基を表し、
Ｘは１〜２０個の炭素原子を有するアルキレン基を表し、該基中で相互に隣接していないメチレン単位は基−Ｏ−により置換されていてもよく、
Ａは酸素原子またはアミノ基−ＮＲ′−を表し、
Ｒ′は水素を表すか、または１〜１０個の炭素原子を有するアルキル基を表し、
Ｙは１〜２０個の炭素原子を有し、フッ素または塩素により置換されていてもよい炭化水素基を表し、
Ｄは１〜７００個の炭素原子を有し、フッ素、塩素、Ｃ１〜Ｃ６−アルキルまたはＣ１〜Ｃ６−アルキルエステルにより置換されていてもよいアルキレン基を表し、該基中で相互に隣接していないメチレン単位は基−Ｏ−、−ＣＯＯ−、−ＯＣＯ−または−ＯＣＯＯ−により置換されていてもよく、
Ｂは一般式２
−Ｚ−Ｓｉ（Ｒ１）ｍ（Ｒ″）３−ｍ          （２）
の基を表し、その際、
Ｚはメチレン基を表し、
Ｒ１は１〜１２個の炭素原子を有し、フッ素または塩素により置換されていてもよい１価の炭化水素基を表し、
Ｒ″は、Ｃ１〜Ｃ４−アルコキシ基、Ｃ１〜Ｃ２０−アシル基、Ｃ１〜Ｃ６−アルキルアミノオキシ基およびＣ１〜Ｃ６−アルキルオキシモ基から選択される湿分と反応性の基を表し、
Ｗは基Ｂまたは水素を表し、
ｍは０、１または２の値を表し、
ｎは１〜３００の整数を表し、
ａは少なくとも１の整数を表し、
ｂは０または１〜３０の整数を表し、
ｃは１〜３０の整数を表し、かつ
ｄは０または１の値を表し、ただしその際、単位の組成は、コポリマーが３０〜２００℃の範囲の融点を有するように選択されている］のシラン末端基を有するポリジオルガノシロキサン−尿素／ウレタン−コポリマー１００質量部および
（Ｂ）一般式３
Ω−（ＣＨ２）ｅ−Ｓｉ（Ｒ２）３−ｆ（ＣＨ３）ｆ          （３）
［式中、
Ωは−ＮＨＲ３、−ＮＲ３−（ＣＨ２）ｇ−ＮＨＲ３、アクリル基、メタクリル基、ＯＣＮ−基、−ＳＨ、グリシドキシ基または塩素基から選択される基を表し、
Ｒ３は水素を表すか、またはハロゲンにより置換されていてもよいＣ１〜Ｃ１８−炭化水素基を表し、
Ｒ２はメトキシ基またはエトキシ基を表し、
ｅは１または３の値を表し、
ｆは０または１の値を表し、かつ
ｇは１〜１０の値を表す］のシラン０．１〜２０質量部
を含有する湿分架橋性組成物である。
【手続補正３】
【補正対象書類名】明細書
【補正対象項目名】００２０
【補正方法】削除
【補正の内容】
【手続補正４】
【補正対象書類名】明細書
【補正対象項目名】００３８
【補正方法】変更
【補正の内容】
【００３８】
コポリマー（Ａ）は一般式８
−ＣＨ２−Ｓｉ（Ｒ１）ｍ（Ｒ″）３−ｍ          （８）
のシラン末端基を有する。これらは一般式５のジイソシアネートを含有する一般式４のポリジオルガノシロキサンと一般式９
Ｅ−ＣＨ２−Ｓｉ（Ｒ１）ｍ（Ｒ″）３−ｍ          （９）
のシランとの反応により得られる。一般式８および９中で、Ｅ、Ｒ１、Ｒ″およびｍは上記のものを表す。有利にはＥはイソシアナト基、Ｒ１はメチル、Ｒ″はメトキシ基またはエトキシ基およびｍは０または１である。
【手続補正５】
【補正対象書類名】明細書
【補正対象項目名】００４０
【補正方法】変更
【補正の内容】
【００４０】
適切なシランの例はアミノメチルトリエトキシシラン、アミノメチルトリメトキシシラン、アミノメチルメチルジエトキシシラン、アミノメチルメチルジメトキシシラン、イソシアナトメチルトリメトキシシラン、イソシアナトメチルトリエトキシシラン、イソシアナトメチルメチルジエトキシシラン、イソシアナトメチルメチルジメトキシシラン、イソシアナトメチルジメチルメトキシシラン、イソシアナトメチルジメチルエトキシシランである。
【手続補正６】
【補正対象書類名】明細書
【補正対象項目名】００６１
【補正方法】変更
【補正の内容】
【００６１】
例１ａ（本発明によらない）：
３８００の平均分子量を有するα，ω−ビスアミノプロピルポリジメチルシロキサン２５０ｇ（６６ミリモル）を８０℃で０．５時間、真空下に加熱し、６０℃に冷却し、かつ引き続き無水ＴＨＦ２５０ｍｌを添加する。該溶液にイソホロンジイソシアネート１１．２ｇ（５２ミリモル）およびイソシアナトプロピルトリメトキシシラン（ＣＫ−ＷｉｔｃｏからＳｉｌｑｕｅｓｔ  （Ｒ）  Ｙ−５１８７で市販）６．０ｇ（３．１ミリモル）を計量供給する。反応は溶液の粘度の増加により、およびＦＴ−ＩＲにより追跡することができる。該溶液をさらに６０℃で１時間撹拌する。反応はＦＩ−ＩＲ中でＮＣＯのバンドがもはや見られなくなれば終了している。
【手続補正７】
【補正対象書類名】明細書
【補正対象項目名】００６９
【補正方法】削除
【補正の内容】
【手続補正８】
【補正対象書類名】明細書
【補正対象項目名】００７０
【補正方法】削除
【補正の内容】
【手続補正９】
【補正対象書類名】明細書
【補正対象項目名】００７１
【補正方法】削除
【補正の内容】
【手続補正１０】
【補正対象書類名】明細書
【補正対象項目名】００７２
【補正方法】削除
【補正の内容】
【手続補正１１】
【補正対象書類名】明細書
【補正対象項目名】００７３
【補正方法】削除
【補正の内容】
【手続補正１２】
【補正対象書類名】明細書
【補正対象項目名】００７４
【補正方法】削除
【補正の内容】
【手続補正１３】
【補正対象書類名】明細書
【補正対象項目名】００７５
【補正方法】削除
【補正の内容】
【手続補正１４】
【補正対象書類名】明細書
【補正対象項目名】００７６
【補正方法】削除
【補正の内容】
【手続補正１５】
【補正対象書類名】明細書
【補正対象項目名】００７７
【補正方法】削除
【補正の内容】
【手続補正１６】
【補正対象書類名】明細書
【補正対象項目名】００７８
【補正方法】削除
【補正の内容】
【手続補正１７】
【補正対象書類名】明細書
【補正対象項目名】００７９
【補正方法】削除
【補正の内容】
【手続補正１８】
【補正対象書類名】明細書
【補正対象項目名】００８０
【補正方法】削除
【補正の内容】
【手続補正１９】
【補正対象書類名】明細書
【補正対象項目名】００８１
【補正方法】削除
【補正の内容】
【手続補正２０】
【補正対象書類名】明細書
【補正対象項目名】００８２
【補正方法】削除
【補正の内容】
【手続補正２１】
【補正対象書類名】明細書
【補正対象項目名】００８３
【補正方法】削除
【補正の内容】
【手続補正２２】
【補正対象書類名】明細書
【補正対象項目名】００８４
【補正方法】削除
【補正の内容】
【手続補正２３】
【補正対象書類名】明細書
【補正対象項目名】００８５
【補正方法】削除
【補正の内容】
【手続補正２４】
【補正対象書類名】明細書
【補正対象項目名】００８６
【補正方法】削除
【補正の内容】
【手続補正２５】
【補正対象書類名】明細書
【補正対象項目名】００８７
【補正方法】変更
【補正の内容】
【００８７】
【表１】
2005501165.tif 000003